(57)【要約】【課題】板状の金属材を折り曲げて形成されたスラットを用いた横引き防火防煙シャッター装置において、充分な遮煙性能を発揮するシャッター装置を提供する。【解決手段】横引き防火防煙シャッター装置に用いるスラット１が、板状の金属材を折り曲げて形成されるものであり、該スラット１が、前記折り曲げによって形成された係合部１２を備えた第１の端と、前記折り曲げによって形成された係合受部１３を備えた第２の端とを有し、第１の端の係合部１２は、連接する他のスラットが有する係合受部と係合するような、カールした形状に構成されており、第２の端の係合受部１３は、連接する他のスラットが有する係合部と係合するような、前記係合部よりも径の大きいカールした形状に構成されており、該スラットと他のスラットとを係合した箇所である連接部における、カールした係合部の内側に遮煙用芯棒２０が挿入されており、前記遮煙用芯棒２０が挿入された連接部が、前記遮煙用芯棒２０の両端の外側からそれぞれ、遮煙用蓋体３０によって塞がれている。【選択図】図３
2020023834.tif 000002
【特許請求の範囲】
【請求項１】
スラットを複数備えた横引き防火防煙シャッター装置であって、
該シャッター装置に用いる前記スラットが、板状の金属材を折り曲げて形成されるものであり、前記スラットが、前記折り曲げによって形成された係合部を備えた第１の端と、前記折り曲げによって形成された係合受部を備えた第２の端とを有し、
第１の端の係合部は、連接する他のスラットが有する係合受部と係合するような、カールした形状に構成されており、
第２の端の係合受部は、連接する他のスラットが有する係合部と係合するような、前記係合部よりも径の大きいカールした形状に構成されており、
該スラットと他のスラットとを係合した箇所である連接部における、カールした係合部の内側に遮煙用芯棒が挿入されており、
前記遮煙用芯棒が挿入された連接部が、前記遮煙用芯棒の両端の外側からそれぞれ、遮煙用蓋体によって塞がれていることを特徴とする、横引き防火防煙シャッター装置。
【請求項２】
スラットを複数備えた横引き防火防煙シャッター装置の製造方法であって、
該シャッター装置に用いる前記スラットが、板状の金属材を折り曲げて形成されているものであり、前記スラットが、前記折り曲げによって形成された係合部を備えた第１の端と、前記折り曲げによって形成された係合受部を備えた第２の端とを有し、
第１の端の係合部は、連接する他のスラットが有する係合受部と係合するような、カールした形状に構成されており、第２の端の係合受部は、連接する他のスラットが有する係合部と係合するような、前記係合部よりも径の大きいカールした形状に構成されており、
該製造方法が、
該スラットと他のスラットとを係合した箇所である連接部における、カールした係合部の内側に遮煙用芯棒を挿入するステップと、
前記遮煙用芯棒が挿入された連接部を、前記遮煙用芯棒の両端の外側からそれぞれ、遮煙用蓋体によって塞ぐステップとを備えていることを特徴とする、横引き防火防煙シャッター装置の製造方法。
【発明の詳細な説明】
【技術分野】
【０００１】
本発明は、複数のスラットを連接させてなる横引き防火防煙シャッター装置に関するものである。
【背景技術】
【０００２】
図５は、従来技術である上下引き防火防煙シャッター装置の一例を示す図である。図中、４１はスラット、４２はガイドレール、４３は収納ボックスである。従来技術である上下引き防火防煙シャッター装置では、スラット４１を上下に連接させて構成した上下シャッターを、ガイドレール４２に沿って降下させて開口部を閉じ、また逆に、この上下シャッターを巻き上げて収納ボックス４３へと収納することにより開口部を開放する。
【０００３】
図６は、従来技術である上下引き防火防煙シャッター装置におけるスラット４１の連接を示す図である。スラット４１は板状の金属材を折り曲げることにより、スラット４１の一端に係合部４１１を、他端に係合受部４１２をそれぞれ設ける。スラット４１同士の連接は、係合部４１１を係合受部４１２内に差し込むようにして行う構成となっている。この構成により、各スラット４１は、連接する他のスラット４１に対して回動可能となり、複数枚のスラット４１を連接させて構成した上下シャッターは、収納ボックス４３の中への巻き上げが可能となる。
【０００４】
上述のような上下引き防火防煙シャッター装置の場合、スラット４１にかかる重力の影響で、あるスラット４１の係合部４１１と、そのスラット４１と連接する他のスラット４１の係合受部４１２とが密着することとなる。その結果、煙の漏れが生じず、建築基準を満たす遮煙性能を有する上下引き防火防煙シャッター装置を得ることが出来る。
【０００５】
しかしながら、上記のようなスラット４１を、上下引きシャッター装置ではなく、横引きの防火防煙シャッター装置に用いようとした場合、スラット４１にかかる重力の方向が異なるため、互いに連接するスラット４１の連接部から煙が漏れ、所望の遮煙性能を発揮することが出来ないという問題があることが、本願出願人の調べにより発覚した。
【０００６】
また、屋外で用いられるシャッター装置として例えば特許文献１があるが、当該シャッター装置は上下引きシャッターとして用いることを前提としたものであり、板状の金属材を折り曲げることにより形成されたスラットを横引きの防火防煙シャッター装置に用いることも、その際の、上述の遮煙性能に関する問題についても、検討されているものではなかった。
【先行技術文献】
【特許文献】
【０００７】
【特許文献１】特開２０１７−１５０１５２号公報
【発明の概要】
【発明が解決しようとする課題】
【０００８】
本発明は上述の事情に鑑みてなされたものであり、板状の金属材を折り曲げて形成されたスラットを用いた、横引き防火防煙シャッター装置であって、シャッターを閉めた状態で建築基準を満たす充分な遮煙性能を発揮するシャッター装置を提供することを目的とするものである。
【課題を解決するための手段】
【０００９】
本発明の課題を解決するための手段は、下記のとおりである。
第１に、スラットを複数備えた横引き防火防煙シャッター装置であって、
該シャッター装置に用いる前記スラットが、板状の金属材を折り曲げて形成されるものであり、前記スラットが、前記折り曲げによって形成された係合部を備えた第１の端と、前記折り曲げによって形成された係合受部を備えた第２の端とを有し、
第１の端の係合部は、連接する他のスラットが有する係合受部と係合するような、カールした形状に構成されており、
第２の端の係合受部は、連接する他のスラットが有する係合部と係合するような、前記係合部よりも径の大きいカールした形状に構成されており、
該スラットと他のスラットとを係合した箇所である連接部における、カールした係合部の内側に遮煙用芯棒が挿入されており、
前記遮煙用芯棒が挿入された連接部が、前記遮煙用芯棒の両端の外側からそれぞれ、遮煙用蓋体によって塞がれていることを特徴とする、横引き防火防煙シャッター装置。
第２に、スラットを複数備えた横引き防火防煙シャッター装置の製造方法であって、
該シャッター装置に用いる前記スラットが、板状の金属材を折り曲げて形成されているものであり、前記スラットが、前記折り曲げによって形成された係合部を備えた第１の端と、前記折り曲げによって形成された係合受部を備えた第２の端とを有し、
第１の端の係合部は、連接する他のスラットが有する係合受部と係合するような、カールした形状に構成されており、第２の端の係合受部は、連接する他のスラットが有する係合部と係合するような、前記係合部よりも径の大きいカールした形状に構成されており、
該製造方法が、
該スラットと他のスラットとを係合した箇所である連接部における、カールした係合部の内側に遮煙用芯棒を挿入するステップと、
前記遮煙用芯棒が挿入された連接部を、前記遮煙用芯棒の両端の外側からそれぞれ、遮煙用蓋体によって塞ぐステップとを備えていることを特徴とする、横引き防火防煙シャッター装置の製造方法。
【発明の効果】
【００１０】
本発明によれば、あるスラットの係合部と、他のスラットの係合受部とを係合した箇所、即ち連接部の中に遮煙用芯棒が挿入され、さらにその両端を遮煙用蓋体で塞ぐことによって、上記のスラットを横引き防火防煙シャッター装置に用いたとしても、煙の漏れを防ぎ、建築基準を満たした横引き防火防煙シャッター装置とすることが出来る。
【図面の簡単な説明】
【００１１】
【図１】本発明の実施形態におけるスラット１の単体での斜視図である。
【図２】本発明の実施形態におけるスラット１同士を連接した状態を示す斜視図である。
【図３】本発明の実施形態におけるスラット１の、横引き防火防煙シャッター装置における使用例を示す図である。
【図４】本発明に係る横引き防火防煙シャッター装置における、遮煙用芯棒２０および遮煙用蓋体３０の実施例を示す図である。
【図５】従来技術である上下引き防火防煙シャッター装置の一例を示す図である。
【図６】従来技術である上下引き防火防煙シャッター装置におけるスラット４１の連接を示す図である。
【発明を実施するための形態】
【００１２】
図１は、本発明の実施形態におけるスラット１の単体での斜視図である。図中、１１はスラット本体、１２は係合部、１３は係合受部である。
【００１３】
スラット１は、板状の金属材を折り曲げて形成されるものである。スラット１を図１のように水平面上に置いた時の、水平方向にスラット本体１１が延在し、そのスラット本体１１の第１の端に係合部１２が、第２の端に係合受部１３が、それぞれ形成されている。
この時、図１の上側に来る面をオモテ面とし、その反対側の下側に来る面をウラ面とする。
【００１４】
係合部１２は、スラット本体１１の第１の端から、下側つまりウラ面側に向かって折り曲げられて形成されている。係合受部１３も同様に、スラット本体１１の第２の端から、下側つまりウラ面側に向かって折り曲げられて形成されている。
【００１５】
図２は、本発明の実施形態におけるスラット１同士を連接した状態を示す斜視図である。
係合部１２および係合受部１３は、係合時にスラット１の係合部１２を他のスラット１の係合受部１３が包みこむように、それぞれカール状に折り曲げ形成されている。
そして、スラット１の係合部１２を、他のスラット１の係合受部１３の中に挿入するようにして係合がなされる。
【００１６】
図３は、本発明の実施形態におけるスラット１の、横引き防火防煙シャッター装置における使用例を示す図である。
この図に見られるように、スラット本体１１の上部には上滑車１４が設けられ、上滑車金具１５が、上滑車１４とスラット本体１１とをリベット１９などの留付材によって接続している。
スラット本体１１の下部には下滑車１６が設けられ、下滑車金具１７が、下滑車１６とスラット本体１１とをリベット１９などの留付材によって接続している。
このような構成とし、上滑車１４が上ガイドレールに沿って、下滑車１６が下ガイドレールに沿って回転することにより、スラット本体１１を横に引くことが可能となる。
【００１７】
ここで、遮煙性能を向上させるために、該スラット１と他のスラット１とを係合した箇所である連接部の、係合部１２の内側に、遮煙用芯棒２０が挿入される。この遮煙用芯棒２０が連接部の内側空間を埋めることにより、煙の漏れが防止される。
【００１８】
そして、図３に示されているように、前記遮煙用芯棒２０が挿入された連接部は、遮煙用芯棒２０の両端の外側からそれぞれ、遮煙用蓋体３０を溶接することによって塞がれている。
なお、遮煙用蓋体３０の取り付け方法は、シャッター装置を設置する現地で作業が容易となるように、溶接とした。しかしながら、他の取り付け方法も採用しうる事は、当業者には明らかであろう。
【００１９】
このように、挿入された遮煙用芯棒２０が前記連接部の内側の空間を埋め、該連接部を、遮煙用芯棒の両端の外側から遮煙用蓋体３０でさらに覆うので、スラット本体１のウラ面方向からオモテ面方向へと（あるいは、その逆方向へと）煙が漏れるのを防止することが出来る。結果、横引き防火防煙シャッター装置が、建築基準を満たす所望の遮煙機能を備えることが可能となる。
【実施例１】
【００２０】
図４は、本発明に係る横引き防火防煙シャッター装置における、遮煙用芯棒２０および遮煙用蓋体３０の実施例を示している。
【００２１】
［前提条件］
本実施例において、係合部１２であるカール雌部分の内径（単位：ミリメートル）は７．２〜８．２Φである。また、係合受部１３であるカール雄部分の外径（単位：ミリメートル）は１５〜１６Φである。
【００２２】
上記の寸法において、係合部１２の内側にそれぞれ、径の異なる遮煙用芯棒２０を差し込む実験を本出願人は行った。この実験において、シャッターの横引きの開閉動作が出来るか、煙を正常に遮ることが出来るかの、２つの観点で確認をした。その結果を下記の表に示す。
【００２３】
【表１】
2020023834.tif 000003
【００２４】
表１の遮煙性能について、○は、「換算された漏気量の値が国土交通省認定の基準値０．２ｍ３（ｍｉｎ・ｍ２）を上回らない」場合を示している。
【００２５】
表１にあるように、遮煙用芯棒２０の径が８Φ、７Φの場合には、横引きシャッター装置のスラット１が回転せず、シャッターの横引きの開閉動作に支障が生じるという問題が発生した。
一方、遮煙用芯棒２０の径が４Φの場合には、横引きシャッター装置のスラット１の回転は可能であったが、遮煙性能が充分ではなかった。
結果、遮煙用芯棒２０の径が６Φで、横引きシャッター装置のスラット１が回転し、かつ、所望の遮煙性能を発揮する事が明らかになった。
【００２６】
また、厚みｔ＝１．６ｍｍを有し、外径の相異なる遮煙用蓋体３０を溶接によって取り付ける実験を本出願人は行った。前記と同様に、シャッターの横引きの開閉動作が出来るか、煙を正常に遮ることが出来るかの、２つの観点で確認をした。その結果を下記の表に示す。
【００２７】
【表２】
2020023834.tif 000004
【００２８】
表２の遮煙性能について、○は、「換算された漏気量の値が国土交通省認定の基準値０．２ｍ３（ｍｉｎ・ｍ２）を上回らない」場合を示している。
【００２９】
表２にあるように、遮煙用蓋体３０の外径が１９ｍｍ、１８ｍｍ、１７ｍｍの場合には、横引きシャッター装置のスラット１が回転せず、シャッターの横引きの開閉動作に支障が生じるという問題が発生した。
一方、遮煙用蓋体３０の外径が１５ｍｍ、１４ｍｍの場合には、横引きシャッター装置のスラット１の回転は可能であったが、遮煙性能が充分ではなかった。
結果、遮煙用蓋体３０の外径が１６ｍｍで、横引きシャッター装置のスラット１が回転し、かつ、所望の遮煙性能を発揮する事が明らかになった。
【００３０】
以上の実験の結果、上記前提条件において、シャッターの横引きの開閉動作が可能でありつつ、換算された漏気量の値が国土交通省認定の基準値０．２ｍ３（ｍｉｎ・ｍ２）を上回らない、充分な遮煙性能を発揮したのは、遮煙用芯棒２０の径が６Φ、遮煙用蓋体３０の外径１６ｍｍの時であった。
【符号の説明】
【００３１】
１    スラット
１１    スラット本体
１２    係合部
１３    係合受部
１４    上滑車
１５    上滑車金具
１６    下滑車
１７    下滑車金具
２０    遮煙用芯棒
３０    遮煙用蓋体
４１    スラット
４１１  係合部
４１２  係合受部
４２    ガイドレール
４３    収納ボックス
【図１】
2020023834.tif 000005
【図２】
2020023834.tif 000006
【図３】
2020023834.tif 000007
【図４】
2020023834.tif 000008
【図５】
2020023834.tif 000009
【図６】
2020023834.tif 000010